(57)【特許請求の範囲】
【請求項１】
底版と側壁との間のコーナ部にハンチ構造部を有する低温タンクにおける上記底版とハンチ構造部のなす角、又は、上記側壁とハンチ構造部のなす角と対応する角度で屈曲する断面Ｖ字形状の基部保冷部材の上側に、荷重を均一に分散させるための板状部材を全面に亘り取り付け、更に、上記板状部材の上側に、所要の高さ寸法を有し且つ上面を幅方向の中央部で上記基部保冷部材と同様の角度で屈曲させてなる略Ｍ字形状のメンブレン支持金物を、内部に上部保冷部材を充填した状態で取り付けてなり、上記メンブレン支持金物の上面にコーナ部のメンブレンの端部と底部側又は側部側のメンブレンの端部を固定できるようにしたことを特徴とする低温タンクのコーナ部用メンブレンアンカー。
【発明の詳細な説明】
【技術分野】
【０００１】
本発明は、低温液化ガスタンク等の低温タンクの底版と側壁との間のコーナ部にメンブレンを固定するための低温タンクのコーナ部用メンブレンアンカーに関するものである。
【背景技術】
【０００２】
低温タンクとしての低温液化ガスタンクは、一般に、図３（イ）（ロ）にその一例の概略を示す如く、底版１と円筒型（厳密には多角筒状）の側壁２により円柱状の貯蔵空間３を形成して、該貯蔵空間３に低温液化ガス（図示せず）を貯蔵するようにしてある。又、上記底版１と側壁２は、液圧に耐えるようにコンクリート躯体としてあり、且つ上記底版１と側壁２の内面に、その内面全体を覆うように保冷材４を配置すると共に、該保冷材４の内側に、液密性を確保するための薄い金属製のメンブレン５ａ，５ｂを取り付けた構成としてある。
【０００３】
更に、たとえば、ＬＮＧの液化温度が約−１６２℃であるように、上記低温液化ガスタンクに貯蔵する低温液化ガスは、極低温となっているため、上記低温液化ガスタンクは、大きな熱収縮を許容できる構成とすることが求められる。そのために、上記メンブレン５ａ，５ｂは、ステンレス板によって上記貯蔵空間３の底部及び側壁部を多数に分割した形状に形成してあると共に、個々のメンブレン５ａ，５ｂにおける所要個所には、半径方向と周方向に延びるか、又は、互いに直交する２方向へ延びるコルゲーション（襞）６をそれぞれ設けてなる構成として、該コルゲーション６が変形することで、大きな熱収縮を吸収できるようにしてある。
【０００４】
なお、上記メンブレン５ａ，５ｂは、上記躯体である底版１又は側壁２の対応する個所に、メンブレン５ａ，５ｂの熱をコンクリート躯体に伝熱させない断熱構造を有するメンブレンアンカー７を介して連結することで、上記したように底版１及び側壁２の内側に配置してある各メンブレン５ａ，５ｂに熱収縮が生じても、全体形状が変形しないようにしてある。
【０００５】
ところで、上記コンクリート躯体の底版１及び側壁２を有する形式の低温液化ガスタンクでは、一般に、図３（ロ）に示す如く、上記底版１と側壁２との間のコーナ部に、躯体の剛性を高めるためのハンチ構造部８、たとえば、底版１及び側壁２の内面より４５度ずつ傾斜した傾斜面となるハンチ構造部８を設けるようにしてある。
【０００６】
したがって、上記ハンチ構造部８の内面にも、上記底版１及び側壁２の内面と同様にして、保冷材４とメンブレン５を取り付ける必要が生じる。この場合、上記ハンチ構造部８の内面に沿って配置するコーナ部のメンブレン５は、上記底版１の内面に配する底部のメンブレン５ａと、側壁２の内面に配する側部のメンブレン５ｂのいずれに対しても４５度ずつ傾斜した配置となる。
【０００７】
そのために、上記コーナ部のメンブレン５は、その下端部を、底版１の外周部におけるハンチ構造部８との境界部付近に配設したコーナ部用メンブレンアンカー９に取り付けて支持させるようにしてあり、且つ該コーナ部用メンブレンアンカー９に、底部のメンブレン５ａの外周端部を取り付けることで、上記コーナ部のメンブレン５と底部のメンブレン５ａの端部同士を、上記コーナ部用メンブレンアンカー９を介して位置固定してある。又、上記コーナ部のメンブレン５の上端部は、側壁２の下端部におけるハンチ構造部８との境界部付近に配設したコーナ部用メンブレンアンカー９に取り付けて支持させるようにしてあり、且つ該コーナ部用メンブレンアンカー９に、側部のメンブレン５ｂの下端部を取り付けることで、上記コーナ部のメンブレン５と側部のメンブレン５ｂの端部同士を、上記コーナ部用メンブレンアンカー９を介して位置固定できるようにしてある（たとえば、特許文献１参照）。これにより、各メンブレン５，５ａ，５ｂに熱収縮変形が生じる際にも、上記コーナ部のメンブレン５に浮き上がりが生じる虞を未然に防止できるようにしてある。
【０００８】
上記コーナ部用メンブレンアンカー９としては、従来、図４（イ）（ロ）に示す如き構成のものが用いられてきている。
【０００９】
すなわち、図４（イ）（ロ）に示したコーナ部用メンブレンアンカー９は、硬質発泡ポリウレタンフォーム（ＰＵＦ）により矩形断面形状を有するブロック状に成形した基部保冷部材１０の上面に、荷重を均一に分散させるための合板の如き板状部材１１が全面に亘り一体に取り付けてある。更に、上記板状部材１１の上側には、所要の高さ寸法を有し、上面の幅方向の中央部から一端部（図上左端部）までを上記板状部材１１と平行な水平面部１２ａとし、且つ幅方向の中央部から他端部（図上右端部）までを他端側が高くなるように上記板状部材１１に対して斜め４５度の傾斜角度で傾斜させた傾斜面部１２ｂとしてなる下端の開放された中空状のメンブレン支持金物１２を、その内部空間に上記基部保冷部材１０と同様の材質による上部保冷部材１３を充填した状態で載置する。更に、上記基部保冷部材１０及び板状部材１１の幅方向両端部に上下方向に穿設してあるボルト孔１４と、上記メンブレン支持金物１２の幅方向両端面にそれぞれ取り付けたアングル材１５に設けたボルト孔１６に、低温液化ガスタンクのコンクリート躯体の所要個所に設置したアンカーボルト１７をそれぞれ挿通させると共に、該各アンカーボルト１７の先端部にナット１８を螺着させて締めることで、上記基部保冷部材１０及び板状部材１１に、上記メンブレン支持金物１２を連結してコーナ部用メンブレンアンカー９を形成すると同時に、該コーナ部用メンブレンアンカー９のコンクリート躯体への据付けを行うことができるようにしてある。
【００１０】
したがって、上記構成としてあるコーナ部用メンブレンアンカー９を用いてコーナ部のメンブレン５の下端部を支持させる場合には、上記アンカーボルト１７として、図４（イ）に示す如く、低温液化ガスタンクの底版１の外周部における上記ハンチ構造部８との境界部付近に予め垂直に設置したアンカーボルト１７を用いることにより、上記コーナ部用メンブレンアンカー９を、メンブレン支持金物１２の傾斜面部１２ｂがハンチ構造部８側に位置するようにして底版１の外周部に据付ける。この状態にて、上記メンブレン支持金物１２の傾斜面部１２ｂの上側に、ハンチ構造部８の内面に沿って配設するコーナ部のメンブレン５の下端部を所要寸法重ねるよう配置して、溶接等により固定するようにしてある。又、上記メンブレン支持金物１２の水平面部１２ａの上側には、底部のメンブレン５ａの外周端部を所要寸法重ねるよう配置して、溶接等により固定するようにしてある。
【００１１】
更に、図示してないが、上記コーナ部用メンブレンアンカー９を用いてコーナ部のメンブレン５の上端部を支持させる場合は、上記アンカーボルト１７として、予め低温液化ガスタンクの側壁２の下端部における上記ハンチ構造部８との境界部付近に水平に設置したアンカーボルト１７を用いることにより、上記コーナ部用メンブレンアンカー９を、メンブレン支持金物１２の傾斜面部１２ｂがハンチ構造部８側となる下方に位置するように横向きの姿勢とした状態で上記側壁２の下端部に据付け、この状態にて、上記コーナ部用メンブレンアンカー９における上記メンブレン支持金物１２の傾斜面部１２ｂに、ハンチ構造部８の内面に沿って配設するコーナ部のメンブレン５の上端部を所要寸法重ねて配置して、溶接等により固定し、又、横向きとしてある上記メンブレン支持金物１２の水平面部１２ａに、側部のメンブレン５ｂの下端部を所要寸法重ねて配置して、溶接等により固定するようにしてある。
【００１２】
なお、図４（ロ）では図示する便宜上、アンカーボルト１７及びナットの記載は省略してある。
【００１３】
【特許文献１】特開２００２−１８１２８８号公報
【発明の開示】
【発明が解決しようとする課題】
【００１４】
ところが、図４（イ）（ロ）に示した従来のコーナ部用メンブレンアンカー９は、コンクリート躯体への取付側となる基部保冷部材１０が矩形断面形状として、平らな底面を備えた形状としてあって、水平又は垂直の平面に据付けることが前提とされていた。そのために、上記コーナ部用メンブレンアンカー９を低温液化ガスタンクの底版１の外周部における上記ハンチ構造部８との境界部付近に据付ける場合は、図３（ロ）及び図４（イ）に示す如く、該ハンチ構造部８における上記底版１側の端縁部となる内周側端部を所要寸法切り欠くように加工して、該切欠加工部分８ａに上記コーナ部用メンブレンアンカー９を設置するための水平な底版１を露出させるようにする必要があり、又、上記コーナ部用メンブレンアンカー９を低温液化ガスタンクの側壁２の下端部における上記ハンチ構造部８との境界部付近に据付ける場合は、図３（ロ）に示す如く、該ハンチ構造部８における上記側壁２の端縁部となる上端部を所要寸法水平に切り欠くように加工して、該切欠加工部分８ｂに上記コーナ部用メンブレンアンカー９を設置するための垂直な側壁を露出させるようにする必要があることから、上記ハンチ構造部８を特殊な構造にする必要が生じ、そのための設計及び施工の手間が嵩んでいるというのが実状である。
【００１５】
そこで、本発明は、低温タンクの底版と側壁との間のコーナ部に設けるハンチ構造部を特殊な構造にすることなく、ハンチ構造部の内側に配するメンブレンの上端部と下端部の固定を行うことができるようにした低温タンクのコーナ部用メンブレンアンカーを提供しようとするものである。
【課題を解決するための手段】
【００１６】
本発明は、上記課題を解決するために、請求項１に対応して、底版と側壁との間のコーナ部にハンチ構造部を有する低温タンクにおける上記底版とハンチ構造部のなす角、又は、上記側壁とハンチ構造部のなす角と対応する角度で屈曲する断面Ｖ字形状の基部保冷部材の上側に、荷重を均一に分散させるための板状部材を全面に亘り取り付け、更に、上記板状部材の上側に、所要の高さ寸法を有し且つ上面を幅方向の中央部で上記基部保冷部材と同様の角度で屈曲させてなる略Ｍ字形状のメンブレン支持金物を、内部に上部保冷部材を充填した状態で取り付けてなり、上記メンブレン支持金物の上面にコーナ部のメンブレンの端部と底部側又は側部側のメンブレンの端部を固定できるようにした構成とする。
【発明の効果】
【００１７】
本発明の低温タンクのコーナ部用メンブレンアンカーによれば、以下のような優れた効果を発揮する。  
（１）底版と側壁との間のコーナ部にハンチ構造部を有する低温タンクにおける上記底版とハンチ構造部のなす角、又は、上記側壁とハンチ構造部のなす角と対応する角度で屈曲する断面Ｖ字形状の基部保冷部材の上側に、荷重を均一に分散させるための板状部材を全面に亘り取り付け、更に、上記板状部材の上側に、所要の高さ寸法を有し且つ上面を幅方向の中央部で上記基部保冷部材と同様の角度で屈曲させてなる略Ｍ字形状のメンブレン支持金物を、内部に上部保冷部材を充填した状態で取り付けてなり、上記メンブレン支持金物の上面にコーナ部のメンブレンの端部と底部側又は側部側のメンブレンの端部を固定できるようにした構成としてあるので、低温液化ガスタンクの底版とハンチ構造部との間に形成されているＶ字形状の境界部に、上記基部保冷部材の屈曲部を嵌合させるように配置した状態で上記底版及びハンチ構造部への据付けを行うと、上記メンブレン支持金物の上面における幅方向中央部を挟んで一方の領域をハンチ構造部と平行に、又、他方の領域を底版と平行に配置させることができる。よって、上記メンブレン支持金物の上面におけるハンチ構造部と平行な領域には、上記ハンチ構造部の内側に配置するコーナ部メンブレンの下端部を、又、該メンブレン支持金物の上面における底版と平行な領域には、底部メンブレンの外周端部をそれぞれ取り付けて固定することができる。  
（２）又、低温液化ガスタンクの側壁とハンチ構造部との間に形成されているＶ字形状の境界部に、上記基部保冷部材の屈曲部を嵌合させるように配置した状態で上記側壁及びハンチ構造部への据付けを行うと、この据付けによって横向き姿勢となる上記メンブレン支持金物の上面における幅方向中央部を挟んで一方の領域をハンチ構造部と平行に、又、他方の領域を側壁と平行に配置させることができる。よって、上記メンブレン支持金物の上面におけるハンチ構造部と平行な領域には、上記ハンチ構造部の内側に配置するコーナ部メンブレンの上端部を、又、該メンブレン支持金物の上面における側壁と平行な面部には、側部メンブレンの下端部を取り付けて固定することができる。  
（３）したがって、低温タンクにおける底版とハンチ構造部との境界部、及び、側壁とハンチ構造部との境界部に据付けを行う際に、従来のコーナ部用メンブレンアンカーの設置時に要していたような上記ハンチ構造部を特殊な構造にするための加工を不要にできて、設計及び施工の手間の大幅な削減化を図ることができる。
【発明を実施するための最良の形態】
【００１８】
以下、本発明を実施するための最良の形態を図面を参照して説明する。
【００１９】
図１（イ）（ロ）及び図２は本発明の低温タンクのコーナ部用メンブレンアンカーの実施の一形態を示すもので、硬質発泡ポリウレタンフォーム（ＰＵＦ）により、幅方向中央部にて、低温液化ガスタンクにおける底版１とハンチ構造部８とがなす角（平面角）や、側壁２とハンチ構造部８がなす角（平面角）と対応するように、たとえば、低温液化ガスタンクの底版１と側壁２との間のコーナ部に底版１及び側壁２の内面よりそれぞれ４５度ずつ傾斜した傾斜面となるようにハンチ構造部８が設けてある場合は、１３５度の角度で屈曲する断面Ｖ字形状のブロック状の基部保冷部材２０を形成する。該基部保冷部材２０の上面には、荷重を均一に分散させるための合板の如き板状部材２１を全面に亘り一体に取り付ける。
【００２０】
更に、所要の高さ寸法を有し且つ上面を幅方向の中央部で上記基部保冷部材２０と同様に１３５度の角度で屈曲させてなる略Ｍ字形状のメンブレン支持金物２２を、その内部空間に上記基部保冷部材２０と同様の材質による上部保冷部材２３を充填した状態で、上記板状部材２１の上側に取り付けてコーナ部用メンブレンアンカー１９を形成する。
【００２１】
より具体的には、上記基部保冷部材２０及び板状部材２１の幅方向両端部に、該部分にて基部保冷部材２０及び板状部材２１に垂直な方向のボルト孔２４をそれぞれ穿設し、該各ボルト孔２４と、上記メンブレン支持金物２２の幅方向両端面にそれぞれ取り付けたアングル材２５に設けられているボルト孔２６に、低温液化ガスタンクにおける底版１又は側壁２におけるハンチ構造部８との境界部付近に設けるアンカーボルト２７ａ又は２７ｂを、又、ハンチ構造部８における上記底版１又は側壁２との境界部付近に設けたアンカーボルト２７ｃをそれぞれ挿通させて、ボルト孔２６より突出する該各アンカーボルト２７ａと２７ｃ、又は、２７ｂと２７ｃの先端部にナット２８を螺着させて締めることで、上記基部保冷部材２０及び板状部材２１に、上記メンブレン支持金物２２を連結してなるコーナ部用メンブレンアンカー１９を形成すると共に、該コーナ部用メンブレンアンカー１９のコンクリート躯体への固定を行うことができるようにしてある。なお、図１（イ）では底版１におけるハンチ構造部８との境界部付近に設けたアンカーボルト２７ａと、ハンチ構造部８における上記底版１との境界部付近に設けたアンカーボルト２７ｃを用いて連結した状態が示してある。
【００２２】
以上の構成としてあるコーナ部用メンブレンアンカー１９を用いてコーナ部のメンブレン５の下端部を支持させる場合は、図２に示す如く、低温液化ガスタンクの底版１とハンチ構造部８との間に形成されているＶ字形状の境界部に、上記コーナ部用メンブレンアンカー１９の基部保冷部材２０の底面の屈曲部を嵌合させるように配置した状態にて、上記基部保冷部材２０と上記板状部材２１の幅方向両端部にそれぞれ穿設してある一方のボルト孔２４と、上記メンブレン支持金物２２の対応する側の端面に取り付けてあるアングル材２５のボルト孔２６（図１（イ）（ロ）参照）とを連通する状態にして、このボルト孔２４，２６に、上記底版１の外周部における上記ハンチ構造部８との境界部の近傍位置に垂直方向に設けるアンカーボルト２７ａを挿通させる。又、上記基部保冷部材２０と上記板状部材２１の他方のボルト孔２４と、上記メンブレン支持金物２２の対応する側の端面に取り付けてあるアングル材２５のボルト孔２６（図１（イ）（ロ）参照）とを連通する状態にして、このボルト孔２４，２６に、上記ハンチ構造部８の下端部における上記底版１との境界部の近傍位置に該ハンチ構造部８と直角方向に設けるアンカーボルト２７ｃを挿通させ、その後、上記各アンカーボルト２７ａと２７ｃの先端部にナット２８を螺着させて締め付けることにより、上記コーナ部用メンブレンアンカー１９を、底版１とハンチ構造部８に据付けるようにする。
【００２３】
上記のようにして底版１とハンチ構造部８の境界部に上記コーナ部用メンブレンアンカー１９を据付けると、上記メンブレン支持金物２２の幅方向中央部で屈曲させてある上面における幅方向中央部を挟んで一方の領域が、上記ハンチ構造部８と平行に配置されると共に、他方の領域が、底版１と平行に配置されるようになる。
【００２４】
したがって、上記メンブレン支持金物２２の上面における上記ハンチ構造部８と平行となる領域に、ハンチ構造部８の内面に沿って配設するコーナ部のメンブレン５の下端部を所要寸法重ねるよう配置した後、該メンブレン５とメンブレン支持金物２２とを溶接等により固定することで、該コーナ部のメンブレン５の下端部が支持されるようになる。更に、上記メンブレン支持金物２２の上面における上記底版１と平行となる領域に、底部のメンブレン５ａの外周端部を所要寸法重ねるよう配置した後、上記と同様に溶接等により固定することで、該底部のメンブレン５ａの外周端部を支持すると共に、該底部のメンブレン５ａと上記コーナ部のメンブレン５の端部同士が上記コーナ部用メンブレンアンカー１９を介して位置固定されるようになる。
【００２５】
又、上記コーナ部用メンブレンアンカー１９を用いてコーナ部のメンブレン５の上端部を支持させる場合は、図２に示す如く、低温液化ガスタンクの側壁２とハンチ構造部８との間に形成されているＶ字形状の境界部に、横向きの姿勢とした上記コーナ部用メンブレンアンカー１９の基部保冷部材２０の底面の屈曲部を嵌合させるように配置した状態にし、しかる後、上記基部保冷部材２０と上記板状部材２１の幅方向両端部にそれぞれ穿設してある一方のボルト孔２４と、メンブレン支持金物２２の対応する側の端面に取り付けてあるアングル材２５のボルト孔２６（図１（イ）（ロ）参照）とを連通する状態にして、このボルト孔２４，２６に、上記側壁２の下端部における上記ハンチ構造部８との境界部の近傍位置に水平方向に設けるアンカーボルト２７ｂを挿通させる。又、上記基部保冷部材２０と上記板状部材２１の他方のボルト孔２４と、上記メンブレン支持金物２２の対応する側の端面に取り付けてあるアングル材２５のボルト孔２６（図１（イ）（ロ）参照）とを連通する状態にして、このボルト孔２４，２６に、上記ハンチ構造部８の上端部における上記側壁２との境界部の近傍位置に該ハンチ構造部８と直角方向に設けるアンカーボルト２７ｃを挿通させ、その後、上記各アンカーボルト２７ｂと２７ｃの先端部にナット２８を螺着させて締め付けることで、上記コーナ部用メンブレンアンカー１９を、側壁２とハンチ構造部８に据付ける。
【００２６】
上記のようにして側壁２とハンチ構造部８の境界部に上記コーナ部用メンブレンアンカー１９を据付けると、上記メンブレン支持金物２２の上面における幅方向中央部を挟んで一方の領域が、ハンチ構造部８と平行に配置されると共に、他方の領域が、上記側壁２と平行に配置されるようになる。
【００２７】
したがって、上記メンブレン支持金物２２の上面における上記ハンチ構造部８と平行となる領域に、ハンチ構造部８の内面に沿って配設するコーナ部のメンブレン５の上端部を所要寸法重ねるよう配置した後、溶接等により固定することで、該コーナ部のメンブレン５の上端部が支持されるようになる。更に、横向きに配置してある上記メンブレン支持金物２２の上面における上記側壁２と平行となる領域に、側部のメンブレン５ｂの下端部を所要寸法重ねるよう配置した後、溶接等により固定することで、該側部のメンブレン５ｂの下端部を支持すると共に、該側部のメンブレン５ｂと上記コーナ部のメンブレン５の端部同士が上記コーナ部用メンブレンアンカー１９を介して位置固定されるようになる。
【００２８】
なお、図２において図３（イ）（ロ）に示したものと同一のものには同一符号が付してある。又、２９は底版１、側壁２、ハンチ構造部８の内側に配する保冷材４のブロックの隙間に充填したグラスウールである。
【００２９】
このように、本発明のコーナ部用メンブレンアンカー９によれば、低温タンクにおける底部１と側壁２との間に設けるハンチ構造部８にはアンカーボルト２７ｃを設けるのみで、底版１とハンチ構造部８との境界部、及び、側壁２とハンチ構造部８との境界部に対し据付けを行うことができる。したがって、図４（イ）（ロ）に示した如き従来のコーナ部用メンブレンアンカー９を設置する場合に要していたような上記ハンチ構造部８を特殊な構造にするための加工を不要にできて、設計及び施工の手間の大幅な削減化を図ることができる。
【００３０】
なお、本発明は、上記実施の形態にのみ限定されるものではなく、基部保冷部材２０は、幅方向中央部で、底版１とハンチ構造部８とがなす平面角や、側壁２とハンチ構造部８がなす平面角と対応した角度で屈曲するようにしてあれば、その屈曲角度は、底版１とハンチ構造部８とがなす平面角や、側壁２とハンチ構造部８がなす平面角に応じて１３５度以外の屈曲角度としてもよい。
【００３１】
基部保冷部材２０の厚み寸法や、メンブレン支持金物２２の高さ寸法は、低温タンクの底版１、側壁２、ハンチ構造部８の内面に配置することが所望される保冷材４の厚み寸法等に応じて適宜変更してもよい。又、メンブレン支持金物２２の幅寸法は、底部、側部、コーナ部の各メンブレン５ａ，５ｂ，５を溶接するために所望される溶接代の寸法に応じて適宜変更してもよい。更に、該メンブレン支持金物２２の幅寸法に応じて上記基部保冷部材２０の幅寸法を適宜変更してもよい。
【００３２】
基部保冷部材２０と板状部材２１に対する上部保冷部材２３を充填したメンブレン支持金物２２の取り付けは、部材点数を減らして構成をシンプルなものにするという観点からは、アングル材２５とアンカーボルト２７ａ，２７ｂ，２７ｃを用いて行うことで、上記基部保冷部材２０と板状部材２１に対するメンブレン支持金物２２の取り付けを、コーナ部用メンブレンアンカー１９の据付けと同時に行わせる構成とすることが好ましいが、上記基部保冷部材２０と板状部材２１に対してメンブレン支持金物２２の取り付けを行うことができ、且つ強度と断熱性を確保できれば、コーナ部用メンブレンアンカー１９の据付けを行うアンカーボルト２７ａ，２７ｂ，２７ｃとは別のボルトを用いる等、いかなる取り付け方法を採用してもよい。
【００３３】
基部保冷部材２０と上部保冷部材２３は、所望される断熱性能と強度を満足させることができれば、硬質ポリウレタンフォーム以外の断熱材料を用いたものとしてもよい。
【００３４】
コンクリート躯体となる底版と側壁との間にハンチ構造部を有するメンブレンタンク形式の低温タンクであれば、低温液化ガス貯蔵用以外の低温タンクにも適用できる。又、地下式及び地上式のいずれの形式の低温タンクにも適用できる。
【００３５】
その他本発明の要旨を逸脱しない範囲内で種々変更を加え得ることは勿論である。
【図面の簡単な説明】
【００３６】
【図１】本発明の低温タンクのコーナ部用メンブレンアンカーの実施の一形態を示すもので、（イ）は概略正面図、（ロ）は（イ）のＡ−Ａ矢視方向に展開した状態の全体構造を示す図である。
【図２】図１のコーナ部用メンブレンアンカーを底版と側壁の間のハンチ構造部の内面に沿って配するコーナ部のメンブレンの固定に適用した状態を示す概要図である。
【図３】従来の低温液化ガスタンクの一般的な構成を示すもので、（イ）は全体構造の概略切断側面図、（ロ）は（イ）のＢ部の拡大図である。
【図４】従来のコーナ部用メンブレンアンカーを示すもので（イ）は概略正面図、（ロ）は全体構造を示す平面図である。
【符号の説明】
【００３７】
１  底版
２  側壁
８  ハンチ構造部
１９  コーナ部用メンブレンアンカー
２０  基部保冷部材
２１  板状部材
２２  メンブレン支持金物
２３  上部保冷部材
【図１】
0005076779.tif 000002
【図２】
0005076779.tif 000003
【図３】
0005076779.tif 000004
【図４】
0005076779.tif 000005